(57)【要約】【課題】ユーザ間の会話内容に基づいてユーザに最適な広告情報をユーザに配信する。【解決手段】電気通信回線を通じて接続される第１および第２端末とサーバとを備え、第１および第２端末は、第１および第２ユーザが会話をするための第１および第２会話情報を入力する第１および第２入力手段を含み、サーバは、第１および第２ユーザの属性を表すユーザ属性情報を蓄積するユーザ属性情報データベースと、第１および第２会話情報に基づいて会話の内容を解析して会話の内容を表す会話内容情報を生成する会話解析手段と、会話内容情報とユーザ属性情報とに基づいて、広告を表す広告情報を蓄積する配信広告データベースに蓄積された広告情報の少なくとも１つを取得する配信広告取得手段と、会話内容情報に基づいて、第１および第２端末のいずれかへ配信広告取得手段により取得された広告情報を配信する広告配信手段とを含む。【選択図】図１
2007102800.tif 000002
【特許請求の範囲】
【請求項１】
電気通信回線を通じて接続される第１および第２端末を備える伝言システムであって、
前記第１端末は、第１伝言情報を入力する第１入力手段と、
前記第１入力手段により入力された前記第１伝言情報を第１表示色で表示する第１表示手段とを含み、
前記第２端末は、前記第１表示手段に表示された前記第１伝言情報を前記第１表示色で表示する第２表示手段と、
第２伝言情報を入力する第２入力手段とを含み、
前記第２表示手段は、前記第２入力手段により入力された前記第２伝言情報を第２表示色で前記第１伝言情報に追加して表示し、
前記第１表示手段は、前記第２表示手段に表示された前記第２伝言情報を前記第２表示色で前記第１伝言情報に追加して表示し、
前記各第１および第２端末は、前記第１伝言情報が前記第１入力手段に入力された時から現在までの第１経過時間に応じて、前記第１表示色を薄くする第１表示色逓減手段と、
前記第２伝言情報が前記第２入力手段に入力された時から現在までの第２経過時間に応じて、前記第２表示色を薄くする第２表示色逓減手段と、
前記第１および第２表示色を現在から所定時間前における第１および第２表示色に復元する表示色復元手段とをさらに含む伝言システム。
【請求項２】
前記第１および第２入力手段は、手書き文字を入力する手書き文字入力手段を含む、請求項１記載の伝言システム。
【請求項３】
電気通信回線を通じて接続される第１および第２端末を備える伝言システムであって、
前記第１端末は、第１伝言情報を入力する第１入力手段と、
前記第１入力手段により入力された前記第１伝言情報を表示する第１表示手段とを含み、
前記第２端末は、前記第１表示手段に表示された前記第１伝言情報を表示する第２表示手段と、
第２伝言情報を入力する第２入力手段とを含み、
前記第２表示手段は、前記第２入力手段により入力された前記第２伝言情報を前記第１伝言情報に追加して表示し、
前記第１表示手段は、前記第２表示手段に表示された前記第２伝言情報を前記第１伝言情報に追加して表示し、
前記第１端末は、所定の第１タイミングにおいて前記第１表示手段に表示されている前記第１および第２伝言情報を表す第１スナップショットをメモリに保存し、所定の第２タイミングにおいて前記第１表示手段に表示されている前記第１および第２伝言情報を表す第２スナップショットを前記メモリに保存するスナップショット保存手段と、
前記メモリに保存された前記第１および第２スナップショットを前記第１表示手段に表示するスナップショット表示手段とをさらに含む伝言システム。
【請求項４】
前記所定の第１および第２タイミングは、前記第１伝言情報が前記第１入力手段に入力されたタイミングを含む、請求項３記載の伝言システム。
【請求項５】
前記所定の第１および第２タイミングは、前記第２伝言情報が前記第２入力手段に入力されたタイミングを含む、請求項３記載の伝言システム。
【請求項６】
前記所定の第１および第２タイミングは、前記第１伝言情報が前記第１入力手段に入力されず、かつ前記第２伝言情報が前記第２入力手段に入力されない状態で、一定時間が経過したタイミングを含む、請求項３記載の伝言システム。
【請求項７】
前記第１および第２入力手段は、手書き文字を入力する手書き文字入力手段を含む、請求項３記載の伝言システム。
【請求項８】
電気通信回線を通じて接続される第１および第２端末を備える伝言システムであって、
前記第１端末は、第１伝言情報を手書き文字で入力する第１手書き文字入力手段と、
前記第１手書き文字入力手段により入力された前記第１伝言情報を表示する第１表示手段とを含み、
前記第２端末は、前記第１表示手段に表示された前記第１伝言情報を表示する第２表示手段と、
第２伝言情報を手書き文字で入力する第２手書き文字入力手段とを含み、
前記第２表示手段は、前記第２手書き文字入力手段により入力された前記第２伝言情報を前記第１伝言情報に追加して表示し、
前記第１表示手段は、前記第２表示手段に表示された前記第２伝言情報を前記第１伝言情報に追加して表示し、
前記第１および第２端末のそれぞれは、人間の感情を表現するように前記手書き文字を装飾する装飾手段をさらに含む伝言システム。
【請求項９】
前記装飾手段は、前記手書き文字の属性を変更する属性変更手段を含む、請求項８記載の伝言システム。
【請求項１０】
前記属性は、前記手書き文字の色と前記手書き文字の太さとを含む、請求項９記載の伝言システム。
【請求項１１】
前記各第１および第２端末は、前記第１および第２手書き文字入力手段に前記手書き文字を入力する際の筆圧を検出する筆圧検出手段をさらに含み、前記装飾手段は、前記筆圧検出手段により検知された前記筆圧に基づいて、前記手書き文字の属性を変更する属性変更手段を含む、請求項８記載の伝言システム。
【請求項１２】
前記属性は、前記手書き文字の色と前記手書き文字の太さとを含み、前記筆圧検出手段により検知された前記筆圧に基づいて前記属性を変更し得ることを含む、請求項１１記載の伝言システム。
【請求項１３】
前記各第１および第２端末は、前記第１および第２手書き文字入力手段に前記手書き文字を入力する際の筆記速度を検出する筆記速度検出手段をさらに含み、
前記装飾手段は、前記筆記速度検知手段により検知された前記筆記速度に基づいて、前記手書き文字の属性を変更する属性変更手段を含む、請求項８記載の伝言システム。
【請求項１４】
前記属性は、前記手書き文字の太さを含み、前記筆記速度検知手段により検知された前記筆記速度に基づいて前記属性を変更し得ることを含む、請求項１３記載の伝言システム。
【請求項１５】
前記各第１および第２端末は、前記第１および第２手書き文字入力手段に前記手書き文字を入力する際のくせを学習する学習手段をさらに含む、請求項８記載の伝言システム。
【請求項１６】
前記くせは、筆圧と筆跡と筆記速度とを含む、請求項１５記載の伝言システム。
【請求項１７】
前記装飾手段は、前記学習手段による学習結果に基づいて、前記手書き文字の属性を変更する属性変更手段を含む、請求項１５記載の伝言システム。
【請求項１８】
前記各第１および第２端末は、前記第１および第２手書き文字入力手段に前記手書き文字を入力し始めてから入力し終わるまでのリプレイを表示するリプレイ表示手段をさらに含む、請求項８記載の伝言システム。
【請求項１９】
電気通信回線を通じて接続される第１および第２端末を備える伝言システムであって、
前記第１端末は、第１伝言情報を手書き文字で入力する第１手書き文字入力手段と、
前記第１手書き文字入力手段により入力された前記第１伝言情報を表示する第１表示手段とを含み、
前記第２端末は、前記第１表示手段に表示された前記第１伝言情報を表示する第２表示手段と、
第２伝言情報を手書き文字で入力する第２手書き文字入力手段とを含み、
前記第２表示手段は、前記第２手書き文字入力手段により入力された前記第２伝言情報を前記第１伝言情報に追加して表示し、
前記第１表示手段は、前記第２表示手段に表示された前記第２伝言情報を前記第１伝言情報に追加して表示し、
前記第１端末は、所定のタイミングにおいて前記第１表示手段に表示されている前記第１および第２伝言情報を表すスナップショットをメモリに保存するスナップショット保存手段と、
前記所定のタイミングを表す手書き文字が前記第１入力手段により入力されると、前記スナップショットを前記第１表示手段に表示するスナップショット表示手段とを含む伝言システム。
【請求項２０】
前記第１端末は、未来のタイミングを表す手書き文字とメモ情報とが前記第１入力手段により入力されると、前記未来のタイミングにおいて前記メモ情報を前記第１表示手段に表示するリマインダー手段をさらに含む、請求項１９記載の伝言システム。
【請求項２１】
電気通信回線を通じて接続される第１および第２端末を備える伝言システムであって、
前記第１端末は、第１伝言情報を入力する第１入力手段と、
前記第１入力手段により入力された前記第１伝言情報を表示する第１表示手段とを含み、
前記第２端末は、前記第１表示手段に表示された前記第１伝言情報を表示する第２表示手段と、
第２伝言情報を入力する第２入力手段とを含み、
前記第２表示手段は、前記第２入力手段により入力された前記第２伝言情報を前記第１伝言情報に追加して表示し、
前記第１表示手段は、前記第２表示手段に表示された前記第２伝言情報を前記第１伝言情報に追加して表示し、
前記第２入力手段は、音声入力手段を含み、
前記第１および第２表示手段は、前記第１伝言情報の表示位置とは異なる表示位置に前記第２伝言情報を表示する伝言システム。
【請求項２２】
電気通信回線を通じて接続される第１および第２端末を備える伝言システムであって、
前記第１端末は、第１伝言情報を入力する第１入力手段と、
前記第１入力手段により入力された前記第１伝言情報を表示する第１表示手段とを含み、
前記第２端末は、前記第１表示手段に表示された前記第１伝言情報を表示する第２表示手段と、
第２伝言情報を入力する第２入力手段とを含み、
前記第２表示手段は、前記第２入力手段により入力された前記第２伝言情報を前記第１伝言情報に追加して表示し、
前記第１表示手段は、前記第２表示手段に表示された前記第２伝言情報を前記第１伝言情報に追加して表示し、
前記第２端末は、携帯端末であることを含み、
前記携帯端末は、前記第２伝言情報を入力するキーボードを含み、
前記第１および第２表示手段は、前記第１伝言情報の表示位置とは異なる表示位置に前記第２伝言情報を表示する伝言システム。
【請求項２３】
前記第１および第２表示手段は、それぞれ前記第１伝言情報の表示色とは異なる表示色で前記第２伝言情報を前記第１伝言情報に追加して表示する、請求項２１または２２記載の伝言システム。
【請求項２４】
前記第１および第２表示手段は、前記異なる表示位置に前記第２伝言情報が収まるように、前記第２伝言情報のフォントの大きさを調整して前記異なる表示位置に前記第２伝言情報を配置する、請求項２１または２２記載の伝言システム。
【発明の詳細な説明】
【技術分野】
【０００１】
本発明は、伝言システムに関する。
【背景技術】
【０００２】
電気通信回線を通じて広告を配信する広告配信システムが知られている。従来の広告配信システムは、ユーザの特性およびユーザが広告をクリックした回数に基づいて、配信広告データベースから選択した広告をユーザに配信する。
【０００３】
遠隔での会議に使用される電子黒板システムが知られている。従来の電子黒板システムは、一方の端末に入力された情報を他方の端末に表示する。
【発明の開示】
【発明が解決しようとする課題】
【０００４】
しかし、従来の広告配信システムで用いられる、ユーザの特性およびユーザが広告をクリックした回数という情報では、ユーザが所望する事項をきめ細かく把握することができない。
【０００５】
従来の電子黒板システムでは、端末に表示される情報の履歴をたどることができず、不便である。
【０００６】
本発明の目的は、ユーザ間の会話内容に基づいてユーザに最適な広告情報をユーザに配信する広告配信システムを提供することができる。
【０００７】
本発明の他の目的は、端末に表示される情報の履歴をたどることができる伝言システムを提供することができる。
【課題を解決するための手段】
【０００８】
本発明に係る伝言システムは、電気通信回線を通じて接続される第１および第２端末を備える伝言システムであって、前記第１端末は、第１伝言情報を入力する第１入力手段と、前記第１入力手段により入力された前記第１伝言情報を第１表示色で表示する第１表示手段とを含み、前記第２端末は、前記第１表示手段に表示された前記第１伝言情報を前記第１表示色で表示する第２表示手段と、第２伝言情報を入力する第２入力手段とを含み、前記第２表示手段は、前記第２入力手段により入力された前記第２伝言情報を第２表示色で前記第１伝言情報に追加して表示し、前記第１表示手段は、前記第２表示手段に表示された前記第２伝言情報を前記第２表示色で前記第１伝言情報に追加して表示し、前記各第１および第２端末は、前記第１伝言情報が前記第１入力手段に入力された時から現在までの第１経過時間に応じて、前記第１表示色を薄くする第１表示色逓減手段と、前記第２伝言情報が前記第２入力手段に入力された時から現在までの第２経過時間に応じて、前記第２表示色を薄くする第２表示色逓減手段と、前記第１および第２表示色を現在から所定時間前における第１および第２表示色に復元する表示色復元手段とをさらに含み、そのことにより上記目的が達成される。
【０００９】
前記第１および第２入力手段は、手書き文字を入力する手書き文字入力手段を含んでもよい。
【００１０】
また、本発明の伝言システムは、電気通信回線を通じて接続される第１および第２端末を備える伝言システムであって、前記第１端末は、第１伝言情報を入力する第１入力手段と、前記第１入力手段により入力された前記第１伝言情報を表示する第１表示手段とを含み、前記第２端末は、前記第１表示手段に表示された前記第１伝言情報を表示する第２表示手段と、第２伝言情報を入力する第２入力手段とを含み、前記第２表示手段は、前記第２入力手段により入力された前記第２伝言情報を前記第１伝言情報に追加して表示し、前記第１表示手段は、前記第２表示手段に表示された前記第２伝言情報を前記第１伝言情報に追加して表示し、前記第１端末は、所定の第１タイミングにおいて前記第１表示手段に表示されている前記第１および第２伝言情報を表す第１スナップショットをメモリに保存し、所定の第２タイミングにおいて前記第１表示手段に表示されている前記第１および第２伝言情報を表す第２スナップショットを前記メモリに保存するスナップショット保存手段と、前記メモリに保存された前記第１および第２スナップショットを前記第１表示手段に表示するスナップショット表示手段とをさらに含み、そのことにより上記目的が達成される。
【００１１】
前記所定の第１および第２タイミングは、前記第１伝言情報が前記第１入力手段に入力されたタイミングを含んでもよい。
【００１２】
前記所定の第１および第２タイミングは、前記第２伝言情報が前記第２入力手段に入力されたタイミングを含んでもよい。
【００１３】
前記所定の第１および第２タイミングは、前記第１伝言情報が前記第１入力手段に入力されず、かつ前記第２伝言情報が前記第２入力手段に入力されない状態で、一定時間が経過したタイミングを含んでもよい。
【００１４】
前記第１および第２入力手段は、手書き文字を入力する手書き文字入力手段を含んでもよい。
【００１５】
また、本発明の伝言システムは、電気通信回線を通じて接続される第１および第２端末を備える伝言システムであって、前記第１端末は、第１伝言情報を手書き文字で入力する第１手書き文字入力手段と、前記第１手書き文字入力手段により入力された前記第１伝言情報を表示する第１表示手段とを含み、前記第２端末は、前記第１表示手段に表示された前記第１伝言情報を表示する第２表示手段と、第２伝言情報を手書き文字で入力する第２手書き文字入力手段とを含み、前記第２表示手段は、前記第２手書き文字入力手段により入力された前記第２伝言情報を前記第１伝言情報に追加して表示し、前記第１表示手段は、前記第２表示手段に表示された前記第２伝言情報を前記第１伝言情報に追加して表示し、前記第１および第２端末のそれぞれは、人間の感情を表現するように前記手書き文字を装飾する装飾手段をさらに含み、そのことにより上記目的が達成される。
【００１６】
前記装飾手段は、前記手書き文字の属性を変更する属性変更手段を含んでもよい。
【００１７】
前記属性は、前記手書き文字の色と前記手書き文字の太さとを含んでもよい。
【００１８】
前記各第１および第２端末は、前記第１および第２手書き文字入力手段に前記手書き文字を入力する際の筆圧を検出する筆圧検出手段をさらに含み、前記装飾手段は、前記筆圧検出手段により検知された前記筆圧に基づいて、前記手書き文字の属性を変更する属性変更手段を含んでもよい。
【００１９】
前記属性は、前記手書き文字の色と前記手書き文字の太さとを含み、前記筆圧検出手段により検知された前記筆圧に基づいて前記属性を変更し得ることを含んでもよい。
【００２０】
前記各第１および第２端末は、前記第１および第２手書き文字入力手段に前記手書き文字を入力する際の筆記速度を検出する筆記速度検出手段をさらに含み、前記装飾手段は、前記筆記速度検知手段により検知された前記筆記速度に基づいて、前記手書き文字の属性を変更する属性変更手段を含んでもよい。
【００２１】
前記属性は、前記手書き文字の太さを含み、前記筆記速度検知手段により検知された前記筆記速度に基づいて前記属性を変更し得ることを含んでもよい。
【００２２】
前記各第１および第２端末は、前記第１および第２手書き文字入力手段に前記手書き文字を入力する際のくせを学習する学習手段をさらに含んでもよい。
【００２３】
前記くせは、筆圧と筆跡と筆記速度とを含んでもよい。
【００２４】
前記装飾手段は、前記学習手段による学習結果に基づいて、前記手書き文字の属性を変更する属性変更手段を含んでもよい。
【００２５】
前記各第１および第２端末は、前記第１および第２手書き文字入力手段に前記手書き文字を入力し始めてから入力し終わるまでのリプレイを表示するリプレイ表示手段をさらに含んでもよい。
【００２６】
また、本発明の伝言システムは、電気通信回線を通じて接続される第１および第２端末を備える伝言システムであって、前記第１端末は、第１伝言情報を手書き文字で入力する第１手書き文字入力手段と、前記第１手書き文字入力手段により入力された前記第１伝言情報を表示する第１表示手段とを含み、前記第２端末は、前記第１表示手段に表示された前記第１伝言情報を表示する第２表示手段と、第２伝言情報を手書き文字で入力する第２手書き文字入力手段とを含み、前記第２表示手段は、前記第２手書き文字入力手段により入力された前記第２伝言情報を前記第１伝言情報に追加して表示し、前記第１表示手段は、前記第２表示手段に表示された前記第２伝言情報を前記前記第１伝言情報に追加して表示し、前記第１端末は、所定のタイミングにおいて前記第１表示手段に表示されている前記第１および第２伝言情報を表すスナップショットをメモリに保存するスナップショット保存手段と、前記所定のタイミングを表す手書き文字が前記第１入力手段により入力されると、前記スナップショットを前記第１表示手段に表示するスナップショット表示手段とを含み、そのことにより上記目的が達成される。
【００２７】
前記第１端末は、未来のタイミングを表す手書き文字とメモ情報とが前記第１入力手段により入力されると、前記未来のタイミングにおいて前記メモ情報を前記第１表示手段に表示するリマインダー手段をさらに含んでもよい。
【００２８】
また、本発明の伝言システムは、電気通信回線を通じて接続される第１および第２端末を備える伝言システムであって、前記第１端末は、第１伝言情報を入力する第１入力手段と、前記第１入力手段により入力された前記第１伝言情報を表示する第１表示手段とを含み、前記第２端末は、前記第１表示手段に表示された前記第１伝言情報を表示する第２表示手段と、第２伝言情報を入力する第２入力手段とを含み、前記第２表示手段は、前記第２入力手段により入力された前記第２伝言情報を前記第１伝言情報に追加して表示し、前記第１表示手段は、前記第２表示手段に表示された前記第２伝言情報を前記第１伝言情報に追加して表示し、前記第２入力手段は、音声入力手段を含み、前記第１および第２表示手段は、前記第１伝言情報の表示位置とは異なる表示位置に前記第２伝言情報を表示し、そのことにより上記目的が達成される。
【００２９】
また、本発明の伝言システムは、電気通信回線を通じて接続される第１および第２端末を備える伝言システムであって、前記第１端末は、第１伝言情報を入力する第１入力手段と、前記第１入力手段により入力された前記第１伝言情報を表示する第１表示手段とを含み、前記第２端末は、前記第１表示手段に表示された前記第１伝言情報を表示する第２表示手段と、第２伝言情報を入力する第２入力手段とを含み、前記第２表示手段は、前記第２入力手段により入力された前記第２伝言情報を前記第１伝言情報に追加して表示し、前記第１表示手段は、前記第２表示手段に表示された前記第２伝言情報を前記第１伝言情報に追加して表示し、前記第２端末は、携帯端末であることを含み、前記携帯端末は、前記第２伝言情報を入力するキーボードを含み、前記第１および第２表示手段は、前記第１伝言情報の表示位置とは異なる表示位置に前記第２伝言情報を表示し、そのことにより上記目的が達成される。
【００３０】
前記第１および第２表示手段は、それぞれ前記第１伝言情報の表示色とは異なる表示色で前記第２伝言情報に追加して表示してもよい。
【００３１】
前記第１および第２表示手段は、前記異なる表示位置に前記第２伝言情報が収まるように、前記第２伝言情報のフォントの大きさを調整して前記異なる表示位置に前記第２伝言情報を配置してもよい。
【発明の効果】
【００３２】
以上のように本発明によれば、ユーザ間の会話内容に基づいてユーザに最適な広告情報をユーザに配信することができる広告配信システムを提供することができる。
【００３３】
また本発明によれば、端末に表示される情報の履歴をたどることができる伝言システムを提供することができる。
【発明を実施するための最良の形態】
【００３４】
（実施の形態１）
図１は、実施の形態１に係る広告配信システムのブロック図である。広告配信システム１００は、電気通信回線１０１を通じて接続される第１および第２端末１０２、１０３とサーバ１０４とを備える。第１および第２端末１０２、１０３は、第１および第２ユーザが会話をするための第１および第２会話情報１２１、１２２を手書き文字により入力する第１および第２入力手段１０５，１０６を含む。
【００３５】
サーバ１０４は、配信広告データベース１０７とユーザ属性情報データベース１０８と会話解析部１０９と配信広告取得部１１０と広告配信部１１１と広告登録部１１３と広告料金計算部１１４とを含む。
【００３６】
配信広告データベース１０７は、広告を表す広告情報４０４を蓄積する。ユーザ属性情報データベース１０８は、第１および第２ユーザの属性を表すユーザ属性情報５０１を蓄積する。会話解析部１０９は、第１および第２会話情報１２１、１２２及び会話履歴情報１３１に基づいて会話の内容を解析して会話の内容を表す会話内容情報１２３を生成する。その後に第１または第２会話情報１３２を会話履歴蓄積部１１２に登録する。配信広告取得部１１０は、会話内容情報１２３とユーザ属性情報５０１とに基づいて、配信広告データベース１０７に蓄積された広告情報４０４の少なくとも１つを取得する。広告配信部１１１は、会話内容情報１２３に基づいて、第１および第２端末１０２、１０３のいずれかへ配信広告取得部１１０により取得された広告情報４０４を配信する。
【００３７】
会話内容情報１２３は、第１および第２ユーザのいずれかを特定するユーザ特定情報１２４と、ユーザ特定情報１２４により特定された第１および第２ユーザのいずれかが所望する所望行為を特定する所望行為情報１２５とを含む。
【００３８】
ユーザ属性情報５０１は、第１ユーザの属性を表す第１ユーザ属性情報５０７と、第２ユーザの属性を表す第２ユーザ属性情報５０８とを含む。
【００３９】
配信広告取得部１１０は、ユーザ特定情報１２４に基づいて第１ユーザ属性情報と第２ユーザ属性情報とのいずれかを特定ユーザ属性情報１２６として選択する。配信広告取得部１１０は、特定ユーザ属性情報１２６と所望行為情報１２５とに基づいて、広告情報４０４の少なくとも１つを取得する。
【００４０】
広告配信部１１１は、ユーザ特定情報１２４に基づいて、広告情報を配信する。
【００４１】
広告料金計算部１１４は、広告配信部１１１によって配信された広告情報の配信回数に基づいて、広告情報の広告料金を計算する。会話履歴蓄積部１１２は、会話の履歴情報を蓄積する。広告登録部１１３は、配信広告データベース１０７に広告情報を登録する。
【００４２】
第１端末１０２は、第１入力手段１０５により入力された第１会話情報１２１を表示する第１表示部１１５を含み、第２端末１０３は、第１表示部１１５に表示された第１会話情報１２１を表示する第２表示部１１６を含み、第２表示部１１６は、第２入力手段１０６により入力された第２会話情報１２２を第１会話情報１２１に追加して表示し、第１表示部１１５は、第２表示部１１６に表示された第２会話情報１２２を第１会話情報１２１に追加して表示する。
【００４３】
図２は、実施の形態１に係る広告配信システムに接続される端末１０２、１０３の外観を示す。図３は、実施の形態１に係る広告配信システムで使用される端末の入力方法の説明図である。端末１０２は、表示部１１５と入力手段１０５とを備える。表示部１１５は、例えば液晶タッチパネルディスプレイであり得る。入力手段１０５は、例えば手書き文字を入力可能なライトペンであり得る。
【００４４】
図４は、実施の形態１に係る広告配信システムのサーバで使用される配信広告データベース１０７のブロック図である。配信広告データベース１０７は、広告情報４０４と推論部４０１と選択部４０２とを含む。各広告情報は、インデックス情報４０５と広告コンテンツ４０６と配信タイミング情報４０７とを含む。インデックス情報４０５は、地域情報４０８とキーワード４０９とを含む。
【００４５】
推論部４０１は、所望行為情報１２５を受け取り所望行為推論情報４１０を生成する。選択部４０２は、所望行為推論情報４１０と特定ユーザ属性情報１２６とに基づいて広告情報４０４の少なくとも１つの広告情報１２７を選択する。
【００４６】
図５は、実施の形態１に係る広告配信システムのサーバで使用されるユーザ属性情報データベース１０８の説明図である。ユーザ属性情報データベース１０８は、ユーザ属性情報５０１を含む。ユーザ属性情報５０１は、第１ユーザ属性情報５０７と第２ユーザ属性情報５０８とを含む。第１ユーザ属性情報５０７と第２ユーザ属性情報５０８とのそれぞれは、住所情報５０４とＩＰアドレス５０５と電話番号５０６とを含む。
【００４７】
図６は、実施の形態１に係る広告配信システムのサーバで使用される会話解析部１０９のブロック図である。会話解析部１０９は、形態素解析部６０１と構文解析部６０２と意味解析部６０３と会話登録部６０４とを含む。
【００４８】
図７は、実施の形態１に係る広告配信システムの動作を説明するフローチャートである。図８は、実施の形態１に係る広告配信システムの第１端末における第１および第２会話情報の表示例を説明する図である。図９は、実施の形態１に係る広告配信システムの第２端末における広告情報の表示例を説明する図である。
【００４９】
ユーザＡが第１入力手段１０５により第１端末１０２に「今日はとんかつかな」という第１会話情報を入力すると、第１表示部１１５は「今日はとんかつかな」という第１会話情報を表示する。第２表示部１１６は、第１表示１１５に表示された第１会話情報を表示する（Ｓ９０１）。
【００５０】
ユーザＢが第２入力手段１０６により第２端末１０３に「そのつもり」という第２会話情報を入力すると、第２表示部１１６は「そのつもり」という第２会話情報を「今日はとんかつかな」という第１会話情報に追加して表示する。図８に示すように、第１表示部１１５は「そのつもり」という第２会話情報を「今日はとんかつかな」という第１会話情報に追加して表示する（Ｓ９０２）。
【００５１】
図１および図６に示すように、会話解析部１０９は、第１および第２会話情報に基づいてユーザＡとユーザＢとの会話の内容を解析してユーザ特定情報１２４と所望行為情報１２５とを生成する。
【００５２】
形態素解析部６０１は、形態素解析を実行し、第１および第２会話情報を単語単位に切り分ける。例えば形態素解析部６０１は、「今日はとんかつかな」という第１会話情報を、「今日」「は」「とんかつ」「かな」に分割する。構文解析部６０２は、形態素解析部６０１により単語単位に切り分けられた第１および第２会話情報の主語および述語を決定する。
【００５３】
意味解析部６０３は、形態素解析部６０１により解析された第１および第２会話情報の意味を解析する。例えば「今日はとんかつかな」というユーザＡの第１会話情報と、「そのつもり」というユーザＢの第２会話情報とに基づいて、ユーザＢが、とんかつを作ることを所望していると意味解析部６０３は判定し、ユーザＢを特定するユーザ特定情報１２４ととんかつを作るという所望行為を表す所望行為情報１２５を生成する（Ｓ９０３）。
【００５４】
配信広告取得部１１０は、ユーザ特定情報１２４に基づいてユーザ属性情報データベース１０８から特定ユーザ属性情報１２６を取得する。例えばユーザＢを特定するユーザ特定情報１２４に基づいて、ユーザＢの住所Ｚ町を含む第２ユーザ属性情報５０８を特定ユーザ属性情報１２６として取得する。
【００５５】
配信広告取得部１１０は、ユーザＢの住所Ｚ町を含む特定ユーザ属性情報１２６と、とんかつを作るという所望行為を表す所望行為情報１２５とに基づいて、配信広告データベース１０７に広告情報を問い合わせる（Ｓ９０４）。
【００５６】
図４を参照して、推論部４０１は所望行為情報１２５に基づいて所望行為推論情報４１０を生成する。例えば、「とんかつを作る」という所望行為を表す所望行為情報１２５に基づいて、とんかつの材料となる「豚肉」という所望行為推論情報４１０を生成する（Ｓ９０５）。
【００５７】
選択部４０２は、所望行為推論情報４１０と特定ユーザ属性情報１２６とに基づいて、広告情報４０４の中から少なくとも１つの広告情報を広告情報１２７として選択する。例えば、「豚肉」という所望行為推論情報４１０とユーザＢの住所Ｚ町を含む特定ユーザ属性情報１２６に基づいて、ユーザＢの住所の近所に存在するＹスーパーの豚肉特売広告を広告コンテンツとして有する広告情報４０４Ａを選択部４０２は広告情報１２７として選択する（Ｓ９０６）。
【００５８】
広告配信部１１１は、ユーザ特定情報１２４に基づいて、配信広告取得部１１０により配信広告データベース１０７から取得された広告情報１２７を第１端末１０２と第２端末１０３とのいずれかに配信する。例えば、ユーザＢを特定するユーザ特定情報１２４に基づいて、広告配信部１１１はユーザＢの住所の近所に存在するＹスーパーの豚肉特売広告を広告コンテンツとして有する広告情報１２７をユーザＢに対応する第２端末１０３へ配信する（Ｓ９０７）。図９に示すように、ユーザＢが使用する第２端末１０３の表示部１１６には、ユーザＢの住所の近所に存在するＹスーパーの豚肉特売広告が表示される。
【００５９】
図４に示すように、端末への広告情報の配信タイミングは、配信タイミング情報４０７に基づいて定められる。例えば、Ｙスーパーの豚肉特売広告を広告コンテンツとして有する広告情報４０４Ａは、直ちに端末へ配信される。著名歌手Ｘのコンサートのチケット情報を広告コンテンツとして有する広告情報４０４Ｂは、チケットが販売される前日に端末へ配信される。
【００６０】
広告料金計算部１１４は、広告配信部１１１によって配信された広告情報１２７の配信回数に基づいて、広告情報１２７の広告料金を計算する（Ｓ９０８）。
【００６１】
以上のように実施の形態１によれば、ユーザＡの第１端末１０２に入力される第１会話情報１２１とユーザＢの第２端末に入力される第２会話情報１２２とに基づいて、会話内容を解析し、ユーザ特定情報１２４と所望行為情報１２５とが生成される。ユーザＡとユーザＢとの会話内容に基づいて生成されたユーザ特定情報１２４と所望行為情報１２５とに基づいて選択されたユーザに最適な広告情報をユーザに配信することができる。
【００６２】
（実施の形態２）
図１０は、実施の形態２に係る伝言システムのブロック図である。実施の形態１で前述した構成要素と同一の構成要素には同一の参照符号を付し、これらの構成要素の詳細な説明は省略する。
【００６３】
伝言システム２００は、電気通信回線１０１を通じて接続される第１および第２端末１０２、１０３を備える。第１および第２端末１０２、１０３は、第１および第２ユーザが会話をするための第１および第２会話情報を手書き文字により入力する第１および第２入力手段１０５，１０６を含む。第１端末１０２は、第１表示色逓減部１００１と第２表示色逓減部１００２と表示色復元部１００３とをさらに含む。
【００６４】
第１表示部１１５は、第１入力手段１０５により入力された第１伝言情報を第１表示色で表示する。第２表示部１１６は、第１表示部１１５に表示された第１伝言情報を第１表示色で表示する。第２表示部１１６は、第２入力手段１０６により入力された第２伝言情報を第２表示色で第１伝言情報に追加して表示する。第１表示部１１５は、第２表示部１１６に表示された第２伝言情報を第２表示色で第１伝言情報に追加して表示する。
【００６５】
第１表示色逓減部１００１は、第１伝言情報が第１入力手段１０５に入力された時から現在までの第１経過時間に応じて、第１表示色を薄くする。第２表示色逓減部１００２は、第２伝言情報が第２入力手段に入力された時から現在までの第２経過時間に応じて、第２表示色を薄くする。表示色復元部１００３は、第１および第２表示色を現在から所定時間前における第１および第２表示色に復元する。
【００６６】
図１１は、実施の形態２に係る伝言システムの端末の動作を説明する図である。
【００６７】
図１１に示すように、時刻ｔ１において、第１表示部１１５は、第１入力手段１０５により入力された「ごはんは？」という第１伝言情報１１０１を第１表示色で表示する。第１表示色逓減部１００１は、「ごはんは？」という第１伝言情報１１０１の第１表示色を時間が経過するにつれて薄くする。
【００６８】
第２表示部１１６は、第２入力手段１０６により入力された「いらない」という第２伝言情報１１０２を第２表示色で「ごはんは？」という第１伝言情報に追加して表示する。
【００６９】
図１１に示すように、時刻ｔ２において、第１表示部１１５は、第２表示部１１６に表示された「いらない」という第２伝言情報１１０２を第２表示色で、「ごはんは？」という第１伝言情報１１０１に追加して表示する。第２表示色逓減部１００２は、「いらない」という第２伝言情報１１０２の第２表示色を時間が経過するにつれて薄くする。第１表示色逓減部１００１は、「ごはんは？」という第１伝言情報１１０１の第１表示色をさらに薄くする。
【００７０】
時刻ｔ３において、第１表示部１１５は、第１入力手段１０５により入力された「ＯＫ」という第１伝言情報１１０３を第１表示色で表示する。「ＯＫ」、「いらない」、「ごはんは？」の順で濃く表示される。薄くなりすぎたり、消えてしまったりした文字を復活させるためにタイムバー（図示せず）が第１端末１０２に設けられる。表示色復元部１００３は、第１および第２表示色を現在から所定時間前における第１および第２表示色に復元する。例えば、タイムバーを現在から（時刻ｔ３−時刻ｔ２）前、即ち時刻ｔ２に動かすと、「ごはんは？」という第１伝言情報１１０１の第１表示色および「いらない」という第２伝言情報１１０２の第２表示色を時刻ｔ２における表示色に復元する。
【００７１】
以上のように実施の形態２によれば、経過時間に応じて、薄くなりすぎたり、消えてしまったりした文字を復活させることができ、端末に表示される情報の履歴をたどることができる。
【００７２】
（実施の形態３）
図１２は、実施の形態３に係る伝言システムのブロック図である。実施の形態１で前述した構成要素と同一の構成要素には同一の参照符号を付し、これらの構成要素の詳細な説明は省略する。
【００７３】
伝言システム３００は、電気通信回線１０１を通じて接続される第１および第２端末１０２、１０３を備える。第１および第２端末１０２、１０３は、第１および第２ユーザが会話をするための第１および第２会話情報を手書き文字により入力する第１および第２入力手段１０５，１０６を含む。第１端末１０２は、スナップショット保存部１２０１とスナップショット表示部１２０２とをさらに含む。
【００７４】
図１３は、実施の形態３に係る伝言システムの端末の動作を説明する図である。スナップショット保存部１２０１は、時刻ｔ１において第１表示部１１５に表示されている第１および第２伝言情報を表す第１スナップショット１３０１をメモリ（図示せず）に保存し、時刻ｔ２において第１表示部１１５に表示されている第１および第２伝言情報を表す第２スナップショット１３０２をメモリ（図示せず）に保存する。時刻ｔ３において第１表示部１１５に表示されている第１および第２伝言情報を表す第３スナップショット１３０３をメモリ（図示せず）に保存する。
【００７５】
時刻ｔ１およびｔ３は、第１伝言情報が前記第１入力手段１０５に入力されたタイミングであり得る。時刻ｔ２は、第２伝言情報が前記第２入力手段１０６に入力されたタイミングであり得る。時刻ｔ１、ｔ２およびｔ３は、第１伝言情報が第１入力手段１０５に入力されず、かつ第２伝言情報が第２入力手段１０６に入力されない状態で、一定時間が経過したタイミングであり得る。
【００７６】
スナップショット表示部１２０２は、メモリに保存された第１、第２および第３スナップショット１３０１、１３０２および１３０３を第１表示部１１５に表示する。
【００７７】
以上のように実施の形態３によれば、過去に教示された画面をスナップショットとして端末に表示することができる。スナップショットは、任意のタイミング（例えば、１時間前、１日前、１週間前、１年前）を指定して端末に表示することができる。
【００７８】
（実施の形態４）
図１４は、実施の形態４に係る伝言システムのブロック図である。実施の形態１で前述した構成要素と同一の構成要素には同一の参照符号を付し、これらの構成要素の詳細な説明は省略する。
【００７９】
伝言システム４００は、電気通信回線１０１を通じて接続される第１および第２端末１０２、１０３を備える。第１および第２端末１０２、１０３は、第１および第２ユーザが会話をするための第１および第２会話情報を手書き文字により入力する第１および第２入力手段１０５，１０６を含む。第１端末１０２は、筆圧検出部１４０１と属性変更部１４０２と筆記速度検出部１４０５と学習部１４０６とリプレイ部１４０７とスナップショット保存部１４０８とスナップショット表示部１４０９とリマインダ部１４１０とを含む。属性変更部１４０２は、色変更部１４０３と太さ変更部１４０４とを含む。
【００８０】
図１５および図１６は、実施の形態４に係る伝言システムの筆圧検出結果に基づいて属性を変更する表示の説明図である。図１７は、実施の形態４に係る伝言システムの筆圧検出結果に基づいて属性を変更する方法の説明図である。図１８は、筆圧検出結果に基づいて属性を変更する他の方法の説明図である。
【００８１】
筆圧検出部１４０１は、第１入力手段１０５に手書き文字を入力する際の筆圧を検出する。色変更部１４０３は、筆圧検出部１４０１により検知された筆圧に基づいて、手書き文字の色を変更する。
【００８２】
図１８に示すように、色変更部１４０３は、例えば、筆圧が高いときは黒、筆圧が低いときは白、筆圧が中くらいのときは灰色に変更する。筆圧が高いときは赤、筆圧が低いときは青、筆圧が中くらいのときは紫に変更してもよい。
【００８３】
図１５、図１６および図１７に示すように、太さ変更部１４０４は筆圧検出部１４０１により検知された筆圧に基づいて、手書き文字の太さを変更する。太さ変更部１４０４は、例えば、筆圧が高いときは太い手書き文字に、筆圧が低いときは細い手書き文字に、筆圧が中くらいのときは普通の太さの手書き文字に変更する。
【００８４】
筆記速度検出部１４０５は、第１入力手段１０５に手書き文字を入力する際の筆記速度を検出する。太さ変更部１４０４は、筆記速度検出部１４０５により検出された筆記速度が速い程、手書き文字を細く表示する。このように、筆記速度をビジュアルに伝達することができる。
【００８５】
第１入力手段１０５に手書き文字を入力する際の筆圧、筆跡、筆記速度の履歴情報がメモリ（図示せず）に記録される。学習部１４０６は、第１入力手段１０５に手書き文字を入力する際の入力者のくせを、メモリ（図示せず）に記録される履歴情報に基づいて学習する。学習部１４０６の学習結果は、ユーザの心境が安定か不安定かを判断する材料となる。
【００８６】
色変更部１４０３と太さ変更部１４０４とは、学習部１４０６による学習結果に基づいて、手書き文字の色、太さをそれぞれ変更する。ユーザの心境が不安定であると判断される場合には、表示される手書き文字を震えさせる等のデコレーションを施して、ユーザの微妙な感情を伝えるようにしても良い。
【００８７】
図１９は、実施の形態４に係る伝言システムのリプレイ表示部の動作を説明する図である。リプレイ表示部１４０７は、第１入力手段１０５により手書き文字を入力し始めてから入力し終わるまでのリプレイを表示する。第１端末１０２には、リプレイボタン（図示せず）が設けられる。図１９に示すように、リプレイボタン（図示せず）が押されると、入力者が第１入力手段１０５によりが第１手書き文字を入力し始めてから入力し終わるまでの書いている最中の表示状態を第１表示部１１５は再現する。
【００８８】
スナップショット保存部１４０８は、所定のタイミングにおいて第１表示部１１５に表示されている第１および第２伝言情報を表すスナップショットをメモリ（図示せず）に保存する。スナップショット表示部１４０９は、所定のタイミングを表す手書き文字が第１入力手段１０５により入力されると、メモリ（図示せず）に保存されたスナップショットを第１表示部１１５に表示する。例えば、手書きで第１表示部１１５に「６／９」と書くと、今日が６月２９日であるとすれば、２０日前の６月９日時点の画面に切り替わる。
【００８９】
リマインダー部１４１０は、未来のタイミングを表す手書き文字とメモ情報とが第１入力手段１０５により入力されると、未来のタイミングにおいてメモ情報を第１表示部１１５に表示する。例えば今日が６月２９日であるとして、手書きで第１表示部１１５に「８／９」というような月日を表す情報とその横にメモを書くと、８月９日になったらそのメモをアラーム音と同時に表示する。
【００９０】
以上のように実施の形態４によれば、第２端末を使用する相手の感情を垣間見ることができるように装飾された情報を第１端末に表示することができる。
【００９１】
（実施の形態５）
図２０は、実施の形態５に係る伝言システムのブロック図である。図２１は、実施の形態５に係る伝言システムの端末が第１伝言情報と第２伝言情報とを表示する方法を説明する図である。実施の形態１で前述した構成要素と同一の構成要素には同一の参照符号を付し、これらの構成要素の詳細な説明は省略する。
【００９２】
伝言システム５００は、電気通信回線１０１を通じて接続される第１および第２端末１０２、１０３を備える。第１および第２端末１０２、１０３は、第１および第２ユーザが会話をするための第１および第２会話情報を手書き文字により入力する第１および第２入力手段１０５，１０６を含む。伝言システム５００は、第２端末１０３に第２伝言情報を入力する携帯端末２００１をさらに含む。携帯端末２００１は、音声入力部２００３とキーボード２００２とを含む。
【００９３】
音声入力部２００３に第２伝言情報を表す音声が入力されると、携帯端末２００１は音声入力部２００３に入力された音声を第２伝言情報を表す文字列に変換して第２端末１０３に送信する。第２表示部１１６は、携帯端末２００１から送信された第２伝言情報を表す文字列を第１伝言情報に追加して表示する。第２伝言情報はキーボード２００２により携帯端末２００１に入力しても良い。
【００９４】
図２１に示す例は、第２表示部１１６が、携帯端末２００１から送信された「今日は帰るの遅くなるよ」という第２伝言情報を表す文字列を「おはよう」という第１伝言情報に追加して表示する例を示している。第２表示部は、「おはよう」という第１伝言情報の表示位置とは異なる表示位置に「今日は帰るの遅くなるよ」という第２伝言情報を表示する。
【００９５】
空いている表示スペースが十分広くないときは、第２表示部１１６は、第１伝言情報の表示位置とは異なる表示位置に第２伝言情報が収まるように、第２伝言情報のフォントの大きさを調整して異なる表示位置に第２伝言情報を配置し得る。
【００９６】
第２表示部１１６は、「おはよう」という第１伝言情報の表示色とは異なる表示色で「今日は帰るの遅くなるよ」という第２伝言情報を「おはよう」という第１伝言情報に追加して表示し得る。
【００９７】
以上のように実施の形態５によれば、音声またはキーボードで入力された伝言情報を見やすく表示することができる。
【図面の簡単な説明】
【００９８】
【図１】実施の形態１に係る広告配信システムのブロック図
【図２】実施の形態１に係る広告配信システムに接続される端末の説明図
【図３】実施の形態１に係る広告配信システムで使用される端末の入力方法の説明図
【図４】実施の形態１に係る広告配信システムのサーバで使用される広告配信データベースのブロック図
【図５】実施の形態１に係る広告配信システムのサーバで使用されるユーザ属性情報データベースの説明図
【図６】実施の形態１に係る広告配信システムのサーバで使用される会話解析部のブロック図
【図７】実施の形態１に係る広告配信システムの動作を説明するフローチャート
【図８】実施の形態１に係る広告配信システムの第１端末における第１および第２会話情報の表示例を説明する図
【図９】実施の形態１に係る広告配信システムの第１端末における広告情報の表示例を説明する図
【図１０】実施の形態２に係る伝言システムのブロック図
【図１１】実施の形態２に係る伝言システムの端末の動作を説明する図
【図１２】実施の形態３に係る伝言システムのブロック図
【図１３】実施の形態３に係る伝言システムの端末の動作を説明する図
【図１４】実施の形態４に係る伝言システムのブロック図
【図１５】実施の形態４に係る伝言システムの筆圧検出結果に基づいて属性を変更する表示の説明図
【図１６】実施の形態４に係る伝言システムの筆圧検出結果に基づいて属性を変更する表示の説明図
【図１７】実施の形態４に係る伝言システムの筆圧検出結果に基づいて属性を変更する方法の説明図
【図１８】実施の形態４に係る伝言システムの筆圧検出結果に基づいて属性を変更する他の方法の説明図
【図１９】実施の形態４に係る伝言システムのリプレイ表示部の動作を説明する図
【図２０】実施の形態５に係る伝言システムのブロック図
【図２１】実施の形態５に係る伝言システムの端末が第１伝言情報と第２伝言情報とを表示する方法を説明する図
【符号の説明】
【００９９】
１００  広告配信システム
１０１  インターネット
１０２  第１端末
１０３  第２端末
１０４  サーバ
１０５  第１入力手段
１０６  第２入力手段
１０７  配信広告データベース
１０８  ユーザ属性情報データベース
１０９  会話解析部
１１０  配信広告取得部
１１１  広告配信部
【図１】
2007102800.tif 000003
【図２】
2007102800.tif 000004
【図３】
2007102800.tif 000005
【図４】
2007102800.tif 000006
【図５】
2007102800.tif 000007
【図６】
2007102800.tif 000008
【図７】
2007102800.tif 000009
【図８】
2007102800.tif 000010
【図９】
2007102800.tif 000011
【図１０】
2007102800.tif 000012
【図１１】
2007102800.tif 000013
【図１２】
2007102800.tif 000014
【図１３】
2007102800.tif 000015
【図１４】
2007102800.tif 000016
【図１５】
2007102800.tif 000017
【図１６】
2007102800.tif 000018
【図１７】
2007102800.tif 000019
【図１８】
2007102800.tif 000020
【図１９】
2007102800.tif 000021
【図２０】
2007102800.tif 000022
【図２１】
2007102800.tif 000023